(57)【要約】【課題】光源としてＬＥＤを有する薄型のセンサ部付き照明器具において、センサ部分の影による照射光のムラを抑えることができる照明器具を提供する。【解決手段】複数のＬＥＤ素子４２を有する光源部４１と、光源部４１が配置される光源セット部８１と、光源セット部８１が収容される器具本体２１と、ＬＥＤ素子４２から出射された光を導光する導光部材５１と、光源セット部８１に取り付けられるセンサ部１０１と、を備え、前記ＬＥＤ素子４２は、前記導光部材５１の外周端近傍に対向して複数配置され、前記導光部材５１は、前記センサ部１０１に対応する位置に照明器具の照射面側に前記センサ部１０１を露出するための開口部である切欠き部５４を有し、前記複数のＬＥＤ素子４２のうち前記センサ部１０１に最も近接するＬＥＤ素子４２ａは、当該ＬＥＤ素子４２ａと前記導光部材５１の中心Ｅとを結ぶ線が前記切欠き部５４と重ならない。【選択図】図２
2020187830.tif 000002
【特許請求の範囲】
【請求項１】
複数のＬＥＤを有する光源部と、
前記光源部が配置される光源セット部と、
前記光源セット部が収容される器具本体と、
前記ＬＥＤから出射された光を導光する導光部材と、
前記光源セット部に取り付けられるセンサ部と、を備え、
前記ＬＥＤは、前記導光部材の外周端近傍に対向して複数配置され、
前記導光部材は、前記センサ部に対応する位置に照明器具の照射面側に前記センサ部を露出するための開口部を有し、
前記複数のＬＥＤのうち前記センサ部に最も近接する前記ＬＥＤは、当該ＬＥＤと前記導光部材の中心とを結ぶ線が前記開口部と重ならない、照明器具。
【請求項２】
前記開口部は、平面視略台形状であり、向かい合う斜辺をそれぞれ延長した線の交点が前記導光部材の照射面と平面視で重なる位置になるように形成される、請求項１に記載の照明器具。
【請求項３】
前記センサ部は、段差部を有し、前記光源セット部の一端が前記段差部に組み付けられる、請求項１または請求項２に記載の照明器具。
【発明の詳細な説明】
【技術分野】
【０００１】
本発明は、照明器具に関する。
【背景技術】
【０００２】
従来から特許文献１に記載された照明器具（シーリングライト）が用いられている。特許文献１では、薄型で小型のセンサ付き天井直付け型照明器具が開示されている。この照明器具は、筐体の前面の中央部にＬＥＤからなる光源を有し、光源から出射された光は前面側に空間を有して設けられた光源カバーを通して照射される。
【０００３】
特許文献１の照明器具は、ケースに、センサとセンサ基板と電源基板とが一括に収納された制御ユニットを有する。制御ユニットは、筐体の裏面側に配置され、筐体のセンサ開口からセンサが前面側に露出するように取り付けられる。センサの前面側にはセンサカバーを有し、センサカバーは光源カバーの外周側に設けられた円形の窓孔に嵌合する。センサ開口と円形の窓孔との間にはセンサ筒を有し、光源からの光の影響を少なくするために区画される。
【先行技術文献】
【特許文献】
【０００４】
【特許文献１】特開２０１７−１３５０６６号公報
【発明の概要】
【発明が解決しようとする課題】
【０００５】
しかしながら、特許文献１の照明器具のような構造の場合、ＬＥＤ素子のような指向性の強い光源を用いると、照射方向の直下である照明器具の中央部の輝度が高くなりやすく、照明光の均一性が損なわれる。また、光源から出射された光は放射状に拡散するため、特許文献１の照明器具のようにセンサ部分を区画するように設けると、拡散された光の一部がセンサ部分により遮蔽されて、センサ部分よりも径方向外周部側が影となり暗くなりやすく、照射光がムラになりやすい。そのため、光源としてＬＥＤを有する薄型のセンサ部付き照明器具において、センサ部分の影の発生を抑えて、照射光のムラを低減することができる照明器具が求められている。
【０００６】
そこで、本発明は、上記課題に鑑みてなされたものであり、光源としてＬＥＤを有する薄型のセンサ部付き照明器具において、センサ部分の影の発生を抑えて、照射光のムラを低減することができる照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
複数のＬＥＤを有する光源部と、
前記光源部が配置される光源セット部と、
前記光源セット部が収容される器具本体と、
前記ＬＥＤから出射された光を導光する導光部材と、
前記光源セット部に取り付けられるセンサ部と、を備え、
前記ＬＥＤは、前記導光部材の外周端近傍に対向して複数配置され、
前記導光部材は、前記センサ部に対応する位置に照明器具の照射面側に前記センサ部を露出するための開口部を有し、
前記複数のＬＥＤのうち前記センサ部に最も近接するＬＥＤは、当該ＬＥＤと前記導光部材の中心とを結ぶ線が前記開口部と重ならないものである。
【０００９】
本願に開示する照明器具において、
前記開口部は、平面視略台形状であり、向かい合う斜辺をそれぞれ延長した線の交点が前記導光部材の照射面と平面視で重なる位置になるように形成されることが好ましい。
【００１０】
本願に開示する照明器具において、
前記センサ部は、段差部を有し、前記光源セット部の一端が前記段差部に組み付けられることが好ましい。
【発明の効果】
【００１１】
本発明によれば、光源としてＬＥＤを有する薄型のセンサ部付き照明器具において、センサ部分の影の発生を抑えて、照射光のムラを低減することができる照明器具を提供することができる。
【図面の簡単な説明】
【００１２】
【図１】本発明の一実施形態に係る照明器具を示す斜視図。
【図２】同じく照明器具を示す平面図。
【図３】図２におけるＡ―Ａ線断面図。
【図４】同じく照明器具を斜め上方から見た分解斜視図。
【図５】同じく照明器具を斜め下方から見た分解斜視図。
【図６】各部材を配置した器具本体の斜視図。
【図７】導光部材による光制御を示す拡大断面図。
【図８】センサ部（段差部）を示す斜視図。
【図９】本実施形態の照明器具の器具本体を取付部材に取り付ける際の係止部２２ｂの移動の様子を示す模式図。
【図１０】取付部材に取り付けたパッキンを示す斜視図。
【図１１】パッキンのリブを示す断面図。
【図１２】図１０に示す取付部材に器具本体を取り付けた照明器具を示す斜視図。
【発明を実施するための形態】
【００１３】
本発明の一実施形態に係る照明器具１１について、図１から図１２を用いて説明する。本実施形態に係る照明器具１１は、ＬＥＤ素子４２を光源とする照明器具である。照明器具１１は、例えば天井面等の被取付部Ｃに直接取り付けられる直付け型のシーリングライトとして使用することが可能である。なお、照明器具１１は、天井面に限らず、壁面（傾斜面も含む）に取り付けてブラケットライトとして使用することも可能である。以下の説明では、照明器具１１の光を照射する側を照明器具１１の照射面側とし、照明器具１１における被取付部Ｃに対向する側を照明器具１１の取付面側（照射面側の反対側）として説明する。また、照明器具１１の取付面側とは、照明器具１１の背面側（裏面側）である。また、図３等に示す照明器具１１が被取付部Ｃに取付けられた状態において、被取付部Ｃに直交する方向を照明器具１１の上下方向とした場合、照明器具１１の取付面側を上方とし、照明器具１１の照射面側の直下方向を下方として説明する。照明器具１１の上下方向に対して直交する方向を照明器具１１の側方として説明する。また、以下の説明において、下方から照明器具１１等を視た状態を平面視とする。上下方向に対して直交方向から照明器具１１等を視た状態を側面視とする。照明器具１１等の断面形状を視た状態を断面視とする。
【００１４】
照明器具１１は、器具本体２１、電源部３１、光源部（ＬＥＤモジュール）４１、導光部材５１、第１反射部材である反射部材６１、第２反射部材である環状反射部材７１、光源セット部８１、取付部材９１、端子台１００、センサ部１０１を主に備える。照明器具１１の外形は、平面視において略円形状であって、照明器具１１の高さ方向（図３の照明器具１１の上下方向）の寸法が、照明器具１１の径方向（図３の照明器具１１の上下方向に対して直交方向）の寸法よりも小さく薄型で扁平な略円柱形状である。
なお、照明器具１１の外形形状は、本実施形態に限定されるものではない。照明器具１１の外形形状は、平面視において略円形状以外に、例えば、楕円形状、正方形状、長方形状、多角形状や扇形、またはそれらを組み合わせた形状にすることもできる。
【００１５】
器具本体２１は、電源部３１、光源部（ＬＥＤモジュール）４１、導光部材５１、反射部材６１、環状反射部材７１、光源セット部８１、端子台１００、センサ部１０１を保持するともに取付部材９１に取り付けられる部材である。器具本体２１は、導光部材５１を露出するための開口を下側に有するとともに上端が開放された略円筒状部材である。器具本体２１は、円筒部２２と、円筒部２２の下端部から径方向内側に延出される円環状の内縁部２３と、を有している。器具本体２１は、熱伝導率の高い、例えば金属素材で構成される。本実施形態では一例として器具本体２１をアルミニウム合金で構成し、電源部３１および光源部４１から生ずる熱を放熱することができる。器具本体２１は、その最大内径寸法が取付部材９１の外径寸法よりも大きく、取付部材９１の照射面側に取り付け可能である。器具本体２１は、円筒部２２の内周面に側面視四角形状で凸状の複数（本実施形態では３つ）の位置決め部２２ａと、各位置決め部２２ａに対応して円筒部２２の上端部に設けられる側面視略長方形状で凸状の複数（本実施形態では３つ）の係止部２２ｂと、各位置決め部２２ａに対応して円筒部２２の下端部に設けられる側面視略長方形状で凸状の複数（本実施形態では３つ）の下端凸部２２ｃと、を有している。位置決め部２２ａ、係止部２２ｂ及び下端凸部２２ｃは、円筒部２２の内周面において周方向に沿って略等間隔で形成されている。位置決め部２２ａの上端部は、取付部材９１に器具本体２１を取り付ける際に、取付部材９１の被係止部９４（案内部９４ｂ）の下端部の位置を規制するものである。位置決め部２２ａの下端部は、器具本体２１に光源セット部８１を取り付ける際に、光源セット部８１（光源部４１）の上端部の位置を規制するものである。これにより、光源セット部８１（光源部４１）を器具本体２１の底部の所定の位置に保持することができる。
【００１６】
器具本体２１の内縁部２３は、導光部材５１の照射面側の外周縁部と対向する。内縁部２３は、平面視においてＬＥＤ素子４２の径方向内側の縁部と重なる反射部２３ａを有している。反射部２３ａは、器具本体２１に環状反射部材７１を組付けた際に、環状反射部材７１の内周縁よりも径方向内側に延出される部分である。具体的には、反射部２３ａは、取付面側に反射面を有し、ＬＥＤ素子４２から出射して導光部材５１を透過した光を反射する部分である。また、反射部２３ａは、ＬＥＤ素子４２の少なくとも一部と重なるように配置されることで、ＬＥＤ素子４２が発する光の直接光を遮るため、ユーザーの目に直接ＬＥＤ素子４２が発する光が達することを抑えることできる。これにより、照明光のムラを抑えるとともに、グレアを抑止した照明光を得ることができる。反射部２３ａは、導光部材５１を器具本体２１内に配置された環状反射部材７１に組み付けた際に、導光部材５１の照射面側の外周縁部に当接または近接する部分である。
なお、本実施形態では、反射部２３ａは、内縁部２３と一体的な部材として構成しているが、例えば、反射部を別部材として構成し、内縁部に連設してもよい。
また、反射部２３ａには、例えば必要に応じて、周方向に沿って溝部を設けて、この溝部に沿って円環状のパッキンを配置してもよい。パッキンは、器具本体２１（反射部２３ａ）と導光部材５１の隙間を覆うためのものであり、水滴や埃等が照明器具１１の内部への侵入することを防ぐ、いわゆる気密パッキンとして作用する。
【００１７】
位置決め部２２ａの１つには、位置決め部２２ａの表面から径方向内側に突出するネジ固定部２４が設けられている。ネジ固定部２４は、電源カバー３３のネジ取付部３３ｂと光源セット部８１のカバー取付部８４とをネジ等の取付部材により共締めするための部分である。
【００１８】
円筒部２２の内周面には、上下方向に平行に並ぶ２列の突条部２２ｄ・２２ｄが設けられている。突条部２２ｄは、上面視において略三角形状であり、突条部２２ｄは、円筒部２２の下端部から上下方向に沿って円筒部２２の上端近傍まで延設される。突条部２２ｄは、器具本体２１を取付部材９１に取り付ける際に、後述する器具本体２１の弾性係合部９５が係合される被係合部分である。
なお、本実施形態では、突条部２２ｄを２列設けているが、１列もしくは３列以上であってもよい。
【００１９】
器具本体２１は、内部の清掃や器具本体２１の部品交換等のために、取付部材９１に対して着脱できる構造となっている。
また、器具本体２１の材質としては、アルミニウム合金以外であってもよく、例えばアルミニウム合金以外の金属素材、樹脂など必要に応じて適宜素材を選択することもできる。
【００２０】
電源部３１は、光源部４１が有するＬＥＤ素子４２に給電を行って、ＬＥＤ素子４２を点灯させるための電源装置である。電源部３１は、器具本体２１における光源部４１よりも上方（取付面側）に配置されている。電源部３１は、電源回路部３２と、該電源回路部３２を覆う電源カバー３３を有している。電源回路部３２は、直方体形状のケース部３２ａと、ケース部３２ａの内部に配置され、所定形状に加工されたプリント配線基板上に複数の電子部品が実装された電源回路３２ｂを有している。電源カバー３３は、平面視略半円形状の金属製の板状部材である。電源カバー３３は、平面視において電源回路部３２に重なるように配置されている。電源カバー３３は、係止片３３ａと、円弧形状の外周縁側にネジ孔を備えたネジ取付部３３ｂを有している。係止片３３ａは、光源セット部８１のカバー係止部８３に係止される。ネジ取付部３３ｂは、光源セット部８１のカバー取付部８４を介して器具本体２１のネジ固定部２４にネジ等の取付部材により共締めされる。電源部３１は、外部商用電源から供給される交流電流を所定の直流電流に変換し、変換後の電流を基板４３に実装された複数のＬＥＤ素子４２に供給するためのものである。
【００２１】
電源部３１は、配線（図示せず）を介して端子台１００に電気的に接続されている。例えば、照明器具１１を被取付部Ｃに取り付ける際、天井裏側の外部商用電源の電源電線（図示せず）を端子台１００に接続することで、電源部３１は外部商用電源と電気的に接続される。電源部３１と光源部４１は配線３７によって電気的に接続されている。
なお、本実施形態では、端子台１００を使用しているが、特に限定するものではない。例えば、端子台１００を使用する代わりに、コネクタ等の接続部品を使用する構成とすることもできる。
【００２２】
光源部４１は、照明器具１１の照射面側に向けて光を出射する部分である。光源部４１は、光源である発光素子を有する光源モジュールである。本実施形態においては、発光素子として、基板４３上に複数の光源であるＬＥＤ（Ｌｉｇｈｔ  ｅｍｉｔｔｉｎｇ  ｄｉｏｄｅ）素子４２が表面実装されたＬＥＤ光源モジュールを使用している。具体的には、ＬＥＤ光源モジュールは、略円板状に加工された基板４３表面に、複数のＬＥＤ素子４２が周方向に略等間隔に配列されたモジュールである。基板４３には、外周縁部にセンサ部１０１のセンサ露出部１０５に対応する平面視略台形状の切欠き部４５が設けられている。複数のＬＥＤ素子４２は、基板４３の外周縁（切欠き部４５を除く部分）の近傍に円環状の素子列として実装されている（図２参照）。切欠き部４５ａに最も近接するＬＥＤ素子４２ａは、センサ部１０１と最も近接するように配置される。センサ部に最も近接するＬＥＤ素子４２ａは、導光部材５１の中心Ｅと結ぶ線が導光部材５１の切欠き部５４と重ならないように配置されている。なお、本実施形態では、導光部材５１の中心Ｅは、導光部材５１の切欠き部５４を除く外周端の円弧の中心を用いている。導光部材５１の中心Ｅは、その導光部材５１の開口部（切欠き部）５４を除く外形形状から設定することもできる。例えば、平面視多角形状の一部に開口部を有する導光部材の場合には、開口部を有さない仮想的な外形形状における重心などを導光部材の中心として採用することができる。光源部４１は、基板４３上に給電素子４４を有している。給電素子４４は、複数のＬＥＤ素子４２のうち二つのＬＥＤ素子４２の間に配置される。これにより、給電素子４４を配置するスペースを基板４３上に別途設ける必要がなく、基板４３をコンパクトにすることができる。光源部４１は、光源セット部８１の照射面側に配置される。複数のＬＥＤ素子４２は、導光部材５１の取付面側の外周端近傍に対向するように配置される。ＬＥＤ光源モジュールは、配線３７によって電源部３１と電気的に接続されている。ＬＥＤ光源モジュールは、基板４３の実装面の裏面が光源セット部８１の光源配置面８２に当接して配置されるため、ＬＥＤ光源モジュールが発熱した際には、ＬＥＤ光源モジュールの熱が光源セット部８１に伝わる。光源セット部８１に伝わった熱は、光源セット部８１の取付面側の周辺温度が光源セット部８１の温度よりも低い場合、光源セット部８１の取付面側の周辺の空気へ伝わる。また、光源セット部８１に伝わった熱の一部は、器具本体２１に伝わり、器具本体２１の周辺温度が器具本体２１の温度よりも低い場合、器具本体２１の周辺の空気へ伝わる。これにより、光源セット部８１に伝わった熱は、光源セット部８１や器具本体２１の周囲に放熱される。
【００２３】
なお、本実施形態では、光源として表面実装型のＬＥＤ素子４２を用いたが、光源の種類はＬＥＤ素子に限定されず、例えばＣＯＢ型発光モジュールや有機ＥＬ素子（ＯＬＥＤ）などを用いても実現可能である。
また、基板４３は、熱伝導性シート（図示せず）や放熱グリスを介して光源セット部８１の光源配置面８２に取り付けてもよく、これにより、より高い放熱性を得ることもできる。
【００２４】
導光部材５１は、少なくとも光源部４１の照射面側を覆うように器具本体２１に取り付けられ、光源部４１（ＬＥＤ素子４２）から出射された光を反射及び拡散させつつ導光し、導光部材５１の外部へ出射される光を配光制御する透光性部材である。導光部材５１には、外周縁部にセンサ部１０１のセンサ露出部１０５に対応する位置に、照明器具１１の照射面側に当該センサ露出部１０５を露出するための平面視略台形状の切欠き部５４が設けられている。導光部材５１の外周縁（切欠き部５４を除く部分）は、平面視において円弧状に実装された複数のＬＥＤ素子４２と重なるように配置される。導光部材５１は、光源部４１（ＬＥＤ素子４２）から出射された光を導光して、面発光として導光部材５１の外部に出射可能である。導光部材５１は、略円板状の部材である。導光部材５１は、透光性を有する樹脂素材で形成されている。導光部材５１は、拡散処理がなされている。本実施形態の導光部材５１においては、器具本体２１の開口から露出する照射面側の表面に対し、ドットパターンで白色（半透光性）のシルク印刷にて印刷層を形成させた。導光部材５１は、ドットパターンの印刷層を形成したものに限らず、例えば、ドットパターン以外の印刷層を形成したもの、微細な凹凸を表面に形成したシボ加工（フロスト加工）を施したもの、内部に拡散剤を混入させたもの、拡散反射シートを貼り付けたもので構成することもできる。また、導光部材５１の照射面側に拡散部材を別途設けてもよい。導光部材５１は、テーパ部５２と、照射面側に突出する凸部５３と、凸部５３の反対側の面に凹部５５とを有している。テーパ部５２は、導光部材５１の外周縁部から下方に向かうにつれて縮径するテーパ状の部分である。凸部５３は、テーパ部５２における光源部４１の給電素子４４に対応する位置で当該テーパ部５２から径方向外側に向けて突出する部分である。凸部５３は、環状反射部材７１の切欠き部７４に係合可能であり、環状反射部材７１に導光部材５１を取り付ける際に、導光部材５１の位置決めをすることができる。導光部材５１は、その外径寸法が環状反射部材７１の外径寸法よりも小さく、該環状反射部材７１のテーパ面７３に係止可能である。凹部５５は、光源部４１の給電素子４４に対応する位置に照射面側に凸となるように形成される。凹部５５は、光源部４１を配置する際に給電素子４４と係合することができ、光源部４１を導光部材５１における適正な位置に位置決めすることができる。導光部材５１は、器具本体２１の下方の開口を閉塞して、ＬＥＤ素子４２に埃などが付着することを防止する役割も有している。
なお、本実施形態におけるセンサ露出部１０５に対応する平面視略台形状の光源部４１の切欠き部４５、導光部材５１の切欠き部５４、反射部材６１の切欠き部６３は、開口部の一例であり、切欠き部以外の貫通孔などの開口を形成する場合であってもよい。
【００２５】
反射部材（第１反射部材）６１は、導光部材５１と対向する位置に配置され、ＬＥＤ素子４２から出射された光を反射する部材である。反射部材６１は、平面視略円形状で平板状に形成されている。反射部材６１は、導光部材５１の取付面側に載置された状態で配置される。反射部材６１は、導光部材５１の取付面側（背面側）から出てきた光を導光部材５１の内部に向けて反射させる。反射部材６１は、ＬＥＤ素子４２から出射された光、及び導光部材５１の内壁面で反射された光を反射して照射面側に出射する。反射部材６１は、略円板状であり、切欠き部６２と、切欠き部６３とを有している。切欠き部６２は、反射部材６１の外周縁において矩形状に切り欠かれた部分である。切欠き部６２は、光源部４１の給電素子４４が係合される部分である。反射部材６１は、基板４３の照射面側の表面において円環状に実装された複数のＬＥＤ素子４２の径方向内側の領域に配置される。本実施形態では、反射部材６１は、その外周縁が複数のＬＥＤ素子４２に近接して配置されている。これにより、複数のＬＥＤ素子４２は、反射部材６１に覆われていない導光部材５１の外周縁部から内部に光を入射させることができる構成となっている。
【００２６】
反射部材６１には、外周縁部にセンサ部１０１のセンサ露出部１０５に対応する平面視略台形状の切欠き部６３を有している。切欠き部６３の辺縁部には、下方に延出される側面反射部６４を有している。側面反射部６４は、導光部材５１の切欠き部６３から下方に延出される部分であり、導光部材５１から出た光を、再び導光部材５１の内部へと反射する。側面反射部６４の高さ寸法は、導光部材５１の高さ寸法と略同等である。側面反射部６４は、導光部材５１の切欠き部５４の端面に沿わせて器具本体２１内の適正な位置に容易に配置することができる。
【００２７】
なお、本実施形態では、反射部材６１は、基板４３と別体の部材として構成されているが、反射部材６１の代わりに、例えば、基板４３の照射面側の表面に、白色シールの貼り付けまたは白色塗装等を実行することで反射部を構成することもできる。
【００２８】
環状反射部材(第２反射部材)７１は、導光部材５１の外周縁の外側に配置され、当該外周縁を囲う反射部材である。環状反射部材７１は、円環状で樹脂製の部材である。環状反射部材７１は、外枠部７２と、テーパ面７３と、切欠き部７４と、配線配置部７５とを有している。外枠部７２は、略円筒状の部分である。テーパ面７３は、環状反射部材７１の内周側に設けられ、内周側縁部から上方に向かうにつれて拡径する傾斜面である。テーパ面７３は、ＬＥＤ素子４２の下方に配置されている。テーパ面７３は、導光部材５１のテーパ部５２から出る光を反射させる反射面である。テーパ面７３には、導光部材５１のテーパ部５２が当接して配置される。切欠き部７４は、テーパ面７３の一部が矩形状に切り欠かれた部分であり、導光部材５１の凸部５３が係合する部分である。環状反射部材７１の高さ寸法は、導光部材５１の上面に反射部材６１を配置した状態の高さ寸法よりも大きくなるように構成されている。環状反射部材７１は、照明器具１１を組み立てる際に、器具本体２１の内部の下端隅部に最初に組み付けられる部材である。器具本体２１に環状反射部材７１が組み付けられた状態において、テーパ面７３と器具本体２１の反射部２３ａは、導光部材５１の外周縁部の形状に対応した受け部を構成し、当該受け部に導光部材５１が嵌合される。これにより、導光部材５１を容易に適切な位置に位置決めして、配置することができる。
【００２９】
外枠部７２は、光源部４１の給電素子４４から延びる配線３７に対応する位置において矩形状の切欠きである配線配置部７５を有している。配線配置部７５は配線３７を配置するためのものである。この配線配置部７５を設けることにより、配線３７を光源セット部８１の取付面側（背面側）に延ばすことが容易となり、電源部３１に接続し易くなる。
【００３０】
また、本実施形態では、器具本体２１の内部に環状反射部材７１、導光部材５１、反射部材６１を順に組み付けた際に、導光部材５１の外周縁部の上部に断面視凹状で平面視円環状の素子収容部Ｓが形成される。素子収容部Ｓには、光源である複数のＬＥＤ素子４２が収容される。さらに、環状反射部材７１は導光部材５１の側面部の周囲を覆うとともに、反射部材６１は素子収容部Ｓを除く導光部材５１の上面を覆うように配置される。さらに、器具本体２１の反射部２３ａは、導光部材５１の照射面側において複数のＬＥＤ素子４２よりも径方向内側の領域を覆っている。このように構成することで、光源である複数のＬＥＤ素子４２と導光部材５１との間にほとんど距離（空間)を設けることなく、ＬＥＤ素子４２から出射される光を導光部材５１の内部の導くことができる。これにより、光源であるＬＥＤ素子４２、導光部材５１、反射部材６１及び環状反射部材７１の高さ寸法を抑えることができるため、ひいては照明器具１１の高さ寸法の増大化を防ぐことができる。また、このような構成によれば、導光部材５１の外周縁部である素子収容部Ｓのみから導光部材５１の内部にＬＥＤ素子４２から出る光を入射することができるため、入射光を効率的に導光可能となる。こうして、本実施形態の照明器具１１によれば、薄型でありながら均一性を高めた照明光を得ることができる。
【００３１】
光源セット部８１は、略円板状の金属製の部材である。光源セット部８１は、照射面側の略全面に亘って光源部４１と対向して光源部４１の高さ方向の位置を規制する面である光源配置面８２を有している。光源セット部８１には、光源配置面８２に光源部４１が配置され、取付面側に電源部３１、端子台１００及びセンサ部１０１が配置される。光源配置面８２は、光源部４１から生じる熱を伝えるために、基板４３との接触面積を増やすために平らな表面を有するように形成されている。光源セット部８１は、取付面側に、カバー係止部８３、カバー取付部８４、端子台取付部８５、を有している。カバー係止部８３は、電源カバー３３の係止片３３ａが係止される部分である。カバー取付部８４は、光源セット部８１の外周縁からＬ字状に立設した部分の上面部分であり、ネジ孔が開口されている。端子台取付部８５は、端子台１００が取り付けられる部分である。
【００３２】
光源セット部８１の外周縁は、器具本体２１の円筒部２２の内周面の半径寸法と略同等の寸法である外側円弧部８６と、外側円弧部８６よりも小径で、光源セット部８１を器具本体２１の内部に収容する際に、対応する位置決め部２２ａ等を挿通可能に形成される切欠きである内側円弧部８７を有している。光源部４１及び電源部３１が取り付けられた光源セット部８１を器具本体２１に取り付ける際には、内側円弧部８７により位置決め部２２ａを通過させるともに、当該光源セット部８１を器具本体２１の底部に配置後、周方向の一方側に所定長回動することで、外側円弧部８６が位置決め部２２ａと下端凸部２２ｃの間にその少なくとも一部が配置される。そうして、器具本体２１のネジ固定部２４に電源カバー３３のネジ取付部３３ｂと光源セット部８１のカバー取付部８４とを位置合わせした状態で、ネジ等の取付部材により共締めされる。このように、本実施形態では、器具本体２１に対して光源部４１と電源部３１を有する光源セット部８１を位置決めするともに、一つのネジ部材による固定だけで光源セット部８１を器具本体２１に安定して保持することができる。これにより、ネジ部材で固定する作業も少なく、光源セット部８１の器具本体２１への取付作業が容易となる。
【００３３】
光源セット部８１は、外周縁部にセンサ部１０１のセンサ露出部１０５に対応する平面視略台形状の切欠き部８８を有している。切欠き部８８の径方向内側の辺縁部には、センサ取付部８９が設けられている。センサ取付部８９は、切欠き部８８の径方向内側の辺縁部からＬ字状に立設した部分の上面部分であり、ネジ孔が開口されている。センサ取付部８９は、センサ部１０１のネジ止め部１０８がネジ等の取付部材により取り付けられる部分である。また、切欠き部８８の周方向両端の近傍には、センサ部１０１の爪部１０７が係止される一対の係止部９０が設けられている。
【００３４】
取付部材９１は、照明器具１１を被取付部Ｃに取り付ける際に、図示しないネジ等の取付部材により被取付部Ｃにあらかじめ取り付けられる、略円板状で樹脂製の部材である。取付部材９１は、器具本体２１を支持する支持部材でもあり、スタットとも呼ばれる。取付部材９１は、取付板９２、周壁部９３、被係止部９４、弾性係合部９５等を有している。
【００３５】
取付板９２は、略円板状であり、取付部材９１を被取付部Ｃに取り付けた際に、被取付部Ｃに対向する部分である。取付板９２は、外部商用電源の電源電線（図示せず）を挿通するための貫通孔９２ａを有している。
周壁部９３は、取付板９２の外周縁から下方に延出される略円筒状の部分である。
【００３６】
被係止部９４は、周壁部９３の周方向の複数箇所（本実施形態では、３箇所）に設けられている。被係止部９４は、切欠き部９４ａと、切欠き部９４ａの周方向の一端部に隣接する案内部９４ｂと、を有している。切欠き部９４ａは、周壁部９３において側面視矩形状に切り欠いた部分であり、周方向の長さ寸法が器具本体２１の係止部２２ｂの周方向の長さ寸法よりも大きくなるように形成されている。これにより、器具本体２１を取付部材９１に取り付ける際、切欠き部９４ａに器具本体２１の係止部２２ｂを係合させることで器具本体２１を位置決めすることができる。案内部９４ｂは、周壁部９３の外周面よりも径方向内側に配置される、短冊状の段差部分である。案内部９４ｂは、器具本体２１を取付部材９１に取り付ける際に器具本体２１を回動する方向に向かうにつれて被取付部Ｃ側（上方）に向かうように傾斜するテーパ面９４ｃを有している。テーパ面９４ｃは、湾曲状の面である。案内部９４ｂは、器具本体２１を取付部材９１に取り付けるために周方向に回動した際に、器具本体２１の係止部２２ｂを所定の高さ位置（係止位置）まで案内するためのものである。このように案内部９４ｂを構成することで、テーパ面９４ｃの先端側（切欠き部９４ａ側）が終端側よりも下方に下がっているため、器具本体２１の係止部２２ｂを案内部９４ｂの終端側に係止する際に係止しやすく、かつ器具本体２１を回動するだけで係止部２２ｂを所定の高さ位置（係止位置）まで案内することができる（図９Ａ参照）。また、係止部２２ｂを案内部９４ｂにより所定の高さ位置（係止位置）まで移動した際、案内部９４ｂの下端部は、位置決め部２２ａの上端部に乗り上げるようにして位置決めされるため、取付部材９１に対して器具本体２１をガタツキ無く取り付けることができる（図９Ｂ参照）。
なお、本実施形態のテーパ面９４ｃは、湾曲面で構成されているが、湾曲面の代わりに、例えば平坦面又は途中部が屈曲した屈曲面であってもよい。
【００３７】
また、案内部９４ｂは、周方向において切欠き部９４ａに隣接する先端部が角面取り加工されている。これにより、当該先端部が角部の場合と比べて、器具本体２１を取り付ける際に、器具本体２１の係止部２２ｂがぶつかって、引っ掛かることを抑えることができる。
【００３８】
弾性係合部９５は、平面視略Ｕ字形状のバネ部９６と、バネ部９６を保持するバネ保持部９７とを有している。弾性係合部９５は、バネ部９６が径方向外側に向けて押圧力が働くようにバネ保持部９７に保持されている。詳細は後述するが、弾性係合部９５は、バネ部９６の径方向外側の先端部が器具本体２１の突条部２２ｄに接触した際に掛かる径方向内側に向かう力に応じて出没可能に構成されている。
【００３９】
上述したように取付部材９１には、器具本体２１の係止部２２ｂを係止するために被係止部９４が設けられている。器具本体２１を取付部材９１に取り付ける場合、作業者は器具本体２１を手で把持した状態で、係止部２２ｂを被係止部９４の切欠き部９４ａに挿入し、この状態のまま器具本体２１を周方向の一方に回動する。この回動の際には係止部２２ｂが案内部９４ｂにより係止位置（係止部２２ｂの回動方向の終端位置）まで案内されるとともに案内部９４ｂの下端部が位置決め部２２ａの上端に乗り上げる。同時に、この回動の際には、取付部材９１に設けられた弾性係合部９５が器具本体２１の内周面を押圧しながら周方向に移動する。その際に突条部２２ｄに差し掛かると、一方の傾斜面に沿って弾性係合部９５のバネ部９６の先端（バネ部９６の突出部分）が径方向内側に移動する。さらに回動すると、当該バネ部９６が突条部２２ｄの頂部を乗り越えて他方の傾斜面に至ると、バネ部９６の復元力によりバネ部９６の先端は元の位置に戻り、器具本体２１が取付部材９１に対して回転しないようにする回転止めとなる（本実施形態では、突条部２２ｄが二つ設けられるため、この過程が２回繰り返される）。このため、振動等により不意に器具本体２１が取付部材９１から外れることを防止することができる。また、器具本体２１を取付部材９１から取り外す場合は、取付部材９１に対して器具本体２１を上記回動方向とは反対方向に回動することで容易に取り外すことができる。また、突条部２２ｄは、一方（取り外し時の回動方向側）の傾斜面よりも他方（取り付け時の回動方向側）の傾斜面を急峻となるように構成することで、器具本体２１が取り外し方向に回動してもバネ部９６が突条部２２ｄを乗り越えにくい構造とすることもできる。
このように係止部２２ｂを被係止部９４に係止することで、器具本体２１は取付部材９１に取り付けられる。また、器具本体２１が取付部材９１に取り付けられた状態で器具本体２１を周方向の他方に回動させると、器具本体２１の係止部２２ｂが取付部材９１の被係止部９４から外れて、器具本体２１を取付部材９１から取り外すことができる。
【００４０】
図１０に示すように、取付部材９１には、パッキン９８が取り付け可能である。
パッキン９８は、平面視円形状で凹状の弾性部材であり、取付部材９１の取付板９２の取付面側を覆うものである。パッキン９８の外周縁には、下方に延出される円環部９８ａを有している。円環部９８ａは、器具本体２１の円筒部２２の上端部の外周側を覆う部分である。パッキン９８には、取付部材９１が有する貫通孔９２ａ等の開口部及び位置合わせ用凸部などに対応する開口部が設けられている。パッキン９８は、照明器具１１を被取付部Ｃに取り付けた際に、器具本体２１により被取付部Ｃ側に押されて、圧縮変形する。これにより、取付部材９１と被取付部Ｃとの隙間を密閉することができる。また、照明器具１１は、圧縮変形したパッキン９８が元の形状に戻ろうとする力により被取付部Ｃから離れる方向へ押されるため、被取付部Ｃに取り付けられた状態においてぐらつきが少なく姿勢が安定する。
【００４１】
パッキン９８は、照射面側の中央の開口部近傍において側面視略三角形状の一対の凸部と、外周部近傍にリブ部９９を有している。凸部は、取付板９２の対応する位置に開口した貫通孔に挿通することで、取付板９２にパッキン９８を密着させて固定するものである。
【００４２】
図１１に示すように、リブ部９９は、径方向に沿って凹凸が連続する平面視円環状の複数のリブＲである。リブＲは、径方向外側に向かうにつれて拡径する第１傾斜面Ｒ１と、第１傾斜面Ｒ１より急峻な傾斜面である第２傾斜面Ｒ２とを有している。複数のリブＲは、径方向外側に向かって傾斜するように角部が形成されている。すなわち、リブＲは、外周側が急峻な傾斜面であり、内周側が外周側よりも緩やかな傾斜面になるように形成されている。複数のリブＲは、器具本体２１が取付部材９１に取り付けられた際に、器具本体２１の円筒部２２の上端部に当接する。これにより、複数のリブＲを設けない平坦面に比べて、円筒部２２の上端部との接触面積が増大し、照明器具１１の内部に水等が浸入しにくい構造となる。よって、照明器具１１は、雨等の影響を受けやすいエクステリア用照明器具として好適なものとなる。
なお、パッキン９８は、用途に応じて省略することができる。図１から図５においては、パッキン９８を省略した照明器具１１を示している。
【００４３】
センサ部１０１は、人感センサや照度センサや、リモコン受信部等である。本実施形態のセンサ部１０１は、焦電型の人感センサである。人感センサは、人間等から放射される熱線（赤外線）の量の変化を検知するセンサである。センサ部１０１には、主として人間等から放射される熱線を導入するレンズ群が設けられている。なお、センサ部１０１は、赤外線センサに限らず、超音波センサ、電波センサなどを用いてもよい。センサ部１０１は、配線を介して電源部３１と電気的に接続される。
【００４４】
センサ部１０１は、筐体１０２と、センサ及びセンサ操作部等を搭載するセンサ回路１０３と、から構成されている。
【００４５】
筐体１０２は、平面視略扇形状で所定高さを有する容器形状のものである。筐体１０２は、センサ露出部１０５と、段差部１０６と、爪部１０７と、ネジ止め部１０８とを有している。
【００４６】
センサ露出部１０５は、照明器具１１の照射面側においてセンサ部１０１の露出される部分であり、平面視略台形状のセンサ操作面１０５ａと、センサ受光部１０５ｂと、センサ操作部である操作スイッチ１０５ｃ及び操作つまみ１０５ｄとを有している。センサ受光部１０５ｂは、センサ回路１０３に実装されたセンサが赤外線を受光する部分であり、半球形状で照射面側に突出している。操作スイッチ１０５ｃ及び操作つまみ１０５ｄは、センサ回路１０３に実装されたセンサ操作用部品であり、センサ操作面１０５ａに設けられたそれぞれに対応する開口部を介して照射面側に突出している。操作スイッチ１０５ｃは、例えば点灯時間等の切替えを行う動作設定スイッチである。操作つまみ１０５ｄは、例えば照度調整を行うための照度調整つまみである。
【００４７】
センサ受光部１０５ｂは、センサ操作面１０５ａの周方向の一端側に偏在している。操作スイッチ１０５ｃ及び操作つまみ１０５ｄは、センサ操作面１０５ａの周方向の他端側に偏在している。
【００４８】
段差部１０６は、センサ露出部１０５の外周縁側を除く周囲部分に設けられる段差形状の部分である。段差部１０６は、複数の段差を有し、上段から第１段差部１０６ａと、第１段差部１０６ａよりも下方に設けられる段差である第２段差部１０６ｂとを有している。第１段差部１０６ａは、導光部材５１の切欠き部５４及び反射部材６１の切欠き部６３が位置決めされて配置される部分である。第２段差部１０６ｂは、光源セット部８１が位置決めされて配置される部分である。
【００４９】
爪部１０７は、筐体１０２の周方向の両端部近傍にそれぞれ設けられ、光源セット部８１の係止部９０に係止される部分である。ネジ止め部１０８は、光源セット部８１のネジ取付部にネジ等の取付部材により取り付けられる部分である。
【００５０】
本実施形態の照明器具１１では、ＬＥＤ素子４２は、導光部材５１の外周端近傍に対向して複数配置されている。さらに、図２に示すように、導光部材５１は、センサ部１０１のセンサ露出部１０５に対応する位置に切欠き部５４を有し、当該切欠き部５４を介して当該センサ露出部１０５を露出させている。さらに、複数のＬＥＤ素子４２のうちセンサ部１０１に最も近接するＬＥＤ素子４２ａは、当該ＬＥＤ素子４２ａと導光部材５１の中心Ｅとを結ぶ線が切欠き部５４と重ならない構成となっている。
これにより、センサ部１０１に最も近接するＬＥＤ素子４２ａにおいて、当該ＬＥＤ素子４２ａから導光部材５１の外周側から内側に導光する構成であるため、センサ部１０１が光を遮ることによる影の発生を抑止して照明光のムラを低減することができる。ひいては、導光部材５１の面発光をより均一性を高めることができる。
【００５１】
また、図２に示すように、本実施形態の照明器具１１では、導光部材５１の切欠き部５４は、平面視略台形状であり、向かい合う斜辺をそれぞれ延長した点線Ｌ・Ｌの交点Ｐが導光部材５１の照射面（切欠き部５４を除く部分）と平面視で重なる位置になるように形成されている。
このような形状となるように切欠き部５４を形成することにより、導光部材５１の外周縁近傍に位置する、センサ部１０１に最も近接するＬＥＤ素子４２ａからの光を遮りにくい。
【００５２】
また、本実施形態の照明器具１１では、センサ部１０１は、段差部１０６を有し、光源セット部８１の一端である切欠き部８８が段差部１０６の第１段差部１０６ａに組み付けられる。
これにより、光源セット部８１（光源部４１）とセンサ部１０１との位置を適正な位置に位置決めすることができる。
【００５３】
また、本実施形態の照明器具１１では、照明器具１１の照射面側に露出する、センサ受光部１０５ｂ及び、センサ操作部である操作スイッチ１０５ｃ及び操作つまみ１０５ｄを有するともに、光源セット部８１に取り付けられるセンサ部１０１と、を備え、センサ受光部１０５ｂは、センサ操作部である操作スイッチ１０５ｃ及び操作つまみ１０５ｄと隣り合うとともに、センサ部１０１のセンサ露出面１０５の一方側に偏在している。
このような構成によれば、センサ操作部である操作スイッチ１０５ｃ及び操作つまみ１０５ｄ照明器具１１の照射面側に露出することで、照明器具１１を被取付部Ｃに取り付けた後であってもセンサ操作部の視認性がよく、調整しやすい。さらに、例えば、従来からある、センサ露出部１０５においてセンサ受光部１０５ｂを中央に配置し、操作スイッチ１０５ｃ及び操作つまみ１０５ｄを、当該センサ受光部１０５ｂを挟むように対向して配置した場合に比べて、操作スイッチ１０５ｃ及び操作つまみ１０５ｄを操作するためのスペースを確保することができるとともに、センサ操作面１０５ａを小さく構成することができる。センサ操作面１０５ａを小さくするため、導光部材５１の照射面を広く確保することができる。
【００５４】
また、本実施形態の照明器具１１では、ＬＥＤ素子４２は、導光部材５１の外周端近傍に対向して複数配置され、センサ部１０１は、少なくとも導光部材５１の外周端近傍を切り欠いた領域において照明器具１１の照射面側に露出している。これにより、センサ部１０１の外周縁部分に占める領域が狭くなるため、ＬＥＤ素子４２を配置するスペースを確保することが可能となり、基板４３上に実装するＬＥＤ素子４２の数を増加させることができる。これにより、照明器具１１の照度を向上させることが可能となる。
【００５５】
また、本実施形態の照明器具１１では、センサ部１０１のセンサ受光部１０５ｂは、センサ露出部１０５において器具本体２１の取付時に回動させる方向側（図２において矢印Ｆ方向側）に偏在している。これにより、照明器具１１を被取付部Ｃに取り付けた状態で、センサ操作部（操作スイッチ１０５ｃ及び操作つまみ１０５ｄ）を操作するとき、センサ操作部がセンサ受光部１０５ｂの影になりにくく、操作する者が視認し易い。
【符号の説明】
【００５６】
１１    照明器具
２１    器具本体
３１    電源部
４１    光源部
４２    ＬＥＤ素子
４２ａ  センサ部に最も近接するＬＥＤ素子
５１    導光部材
５４    切欠き部（開口部）
６１    反射部材（第１反射部材）
８１    光源セット部
９１    取付部材
１０１  センサ部
１０５  センサ露出部
Ｃ      被取付部
Ｅ      導光部材の中心
Ｆ      器具本体の取付時に回動させる方向を示す矢印
【図１】
2020187830.tif 000003
【図２】
2020187830.tif 000004
【図３】
2020187830.tif 000005
【図４】
2020187830.tif 000006
【図５】
2020187830.tif 000007
【図６】
2020187830.tif 000008
【図７】
2020187830.tif 000009
【図８】
2020187830.tif 000010
【図９】
2020187830.tif 000011
【図１０】
2020187830.tif 000012
【図１１】
2020187830.tif 000013
【図１２】
2020187830.tif 000014